(57)【特許請求の範囲】
【請求項１】
波長多重化された光信号の中から所望の波長を有する光信号を分岐し、又は送信すべく光信号を前記波長多重化された光信号に挿入する光分岐挿入多重化装置において、
前記光信号を上り方向に伝送する第１の光ファイバ伝送路と、前記光信号を下り方向に伝送する第２の光ファイバ伝送路との対を複数有し、
前記第１の光ファイバ伝送路と前記第２の光ファイバ伝送路のそれぞれの対ごとに、同一波長が伝送され、
前記光分岐挿入多重化装置の下り方向側の端子に設けられ、前記第１の光ファイバ伝送路および前記第２の光ファイバ伝送路が接続された第１の光サーキュレータと、
前記光分岐挿入多重化装置の上り方向側の端子に設けられ、前記第１の光ファイバ伝送路および前記第２の光ファイバ伝送路が接続された第２の光サーキュレータと、
前記波長多重化された光信号が通過する端子を備え、前記端子を通過し前記光信号が有する複数の異なる波長をそれぞれの波長に分波する第１の光合分波器と、
異なる波長を合波して波長多重化された光信号を出力する端子を有する第２の光合分波器と、
前記第１の光合分波器に第１の伝送路を介して所望の波長を有する光信号が分岐挿入される第１の分岐挿入手段と、
前記第２の光合分波器に第２の伝送路を介して所望の波長を有する光信号が分岐挿入される第２の分岐挿入手段と、を有し、
前記第１の伝送路および前記第２の伝送路のそれぞれには同一波長の光信号が双方向に伝送され、
前記第１及び第２の光ファイバ伝送路が接続されていない前記第１の光サーキュレータの端子に前記第１の光合分波器の前記波長多重化された光信号が通過する端子が接続され、
前記第１及び第２の光ファイバ伝送路が接続されていない前記第２の光サーキュレータの端子に前記第２の光合分波器の前記波長多重化された光信号が通過する端子が接続されていることを特徴とする光分岐挿入多重化装置。
【請求項２】
波長多重化された光信号の中から所望の波長を有する光信号を分岐し、又は送信すべく光信号を前記波長多重化された光信号に挿入する光分岐挿入多重化装置において、
前記光信号を上り方向に伝送する第１の光ファイバ伝送路と、前記光信号を下り方向に伝送する第２の光ファイバ伝送路との対を複数有し、
前記第１の光ファイバ伝送路と前記第２の光ファイバ伝送路のそれぞれの対ごとに、同一波長が伝送され、
前記光分岐挿入多重化装置の下り方向側の端子に設けられ、前記第１の光ファイバ伝送路および前記第２の光ファイバ伝送路が接続された第１の光カプラと、
前記光分岐挿入多重化装置の上り方向側の端子に設けられ、前記第１の光ファイバ伝送路および前記第２の光ファイバ伝送路が接続された第２の光カプラと、
前記波長多重化された光信号が通過する端子を備え、前記端子を通過し前記光信号が有する複数の異なる波長をそれぞれの波長に分波する第１の光合分波器と、
異なる波長を合波して波長多重化された光信号を出力する端子を有する第２の光合分波器と、
前記第１の光合分波器に第１の伝送路を介して所望の波長を有する光信号が分岐挿入される第１の分岐挿入手段と、
前記第２の光合分波器に第２の伝送路を介して所望の波長を有する光信号が分岐挿入される第２の分岐挿入手段と、を有し、
前記第１の伝送路および前記第２の伝送路のそれぞれには同一波長の光信号が双方向に伝送され、
前記第１及び第２の光ファイバ伝送路が接続されていない前記第１の光カプラの端子に前記第１の光合分波器の前記波長多重化された光信号が通過する端子が接続され、
前記第１及び第２の光ファイバ伝送路が接続されていない前記第２の光カプラの端子に前記第２の光合分波器の前記波長多重化された光信号が通過する端子が接続されていることを特徴とする光分岐挿入多重化装置。
【請求項３】
前記第１の光ファイバ伝送路内に、下り方向に伝送される光信号の伝播を阻止する光アイソレータが設けられ、前記光アイソレータは前記第１の光カプラの端子に接続され、
前記第２の光ファイバ伝送路内に、上り方向に伝送される光信号の伝播を阻止する光アイソレータが設けられ、前記光アイソレータは前記第２の光カプラの端子に接続されていることを特徴とする請求項２に記載の光分岐挿入多重化装置。
【請求項４】
波長多重化された光信号の中から所望の波長を有する光信号を分岐し、又は送信すべく光信号を前記波長多重化された光信号に挿入する光分岐挿入多重化装置において、
前記光信号を上り方向に伝送する第１の光ファイバ伝送路と、前記光信号を下り方向に伝送する第２の光ファイバ伝送路と、
前記第１の光ファイバ伝送路と前記第２の光ファイバ伝送路に同一波長が伝送され、
前記波長多重化された光信号が通過する端子を備え、前記端子を通過し前記光信号が有する複数の異なる波長をそれぞれの波長に分波する第１の光合分波器と、
異なる波長を合波して波長多重化された光信号を出力する端子を有する第２の光合分波器と、
前記第１の光合分波器に第１の伝送路を介して所望の波長を有する光信号が分岐挿入される第１の分岐挿入手段と、
前記第２の光合分波器に第２の伝送路を介して所望の波長を有する光信号が分岐挿入される第２の分岐挿入手段と、を有し、
前記第１の伝送路および前記第２の伝送路のそれぞれには同一波長の光信号が双方向に伝送され、
その第１端子に前記第１の光ファイバ伝送路が接続され、
その第２端子に前記第２の光ファイバ伝送路が接続され、
その第３端子には前記光分岐挿入多重化装置の一端が接続された光合分波装置が設けられ、
前記光合分波装置の第３端子に前記第１または第２の光合分波器の前記光信号が通過する端子が接続されていることを特徴とする光分岐挿入多重化装置。
【請求項５】
前記光合分波装置に、光サーキュレータを用いることを特徴とする請求項４に記載の光分岐挿入多重化装置。
【請求項６】
前記光合分波装置に、光カプラを用いることを特徴とする請求項４に記載の光分岐挿入多重化装置。
【請求項７】
前記第１および第２の光ファイバ伝送路の少なくとも一に、前記光信号を伝送する方向と逆の方向に伝播する光信号を阻止する光アイソレータが設けられ、前記光アイソレータは前記光カプラの一端子に接続されていることを特徴とする請求項６に記載の光分岐挿入多重化装置。
【発明の詳細な説明】
【技術分野】
【０００１】
本発明は、複数の波長が異なる光を多重化してデータを伝送する光伝送システムに関する。特に、上記多重化された光の中から所望の波長の光を分岐する、あるいは挿入する光分岐挿入多重化装置に関する。
【背景技術】
【０００２】
波長の異なる光信号を多重化して光ファイバで伝送する波長多重光伝送システムでは、通信ノードで受信する所望の波長の光信号を分岐し、またこの通信ノードで送信する光信号を前述の波長多重信号に挿入する光分岐挿入多重化装置が用いられる。
【０００３】
図2は光分岐挿入装置3-Aと3-Bを用いた通信ノード12の構成図である。通信ノード12は隣接する通信ノードと複数の光ファイバ1、5、6、11で結ばれており、波長多重信号は伝送される各方向に異なる光ファイバを用いて通信ノード間を伝送される。例えば図2の場合、紙面の左から右へ伝送する信号は光ファイバ1と5を用い、また紙面の右から左へ伝送する信号は光ファイバ11と6を用いる。
【０００４】
通信ノード12では、隣接通信ノードから伝送されてくる波長多重信号の中から所望の波長の信号を分岐する、あるいはノード12から送信しようとする光信号を上記波長多重信号に挿入する光分岐挿入多重化装置を信号が伝送される方向ごとにそれぞれ一台ずつ（図2では3-1と3-2）必要である。
【０００５】
この通信ノード構成では、伝送方向に応じた光分岐挿入装置がそれぞれ必要になる（その例は、特許文献１に記述されている）が、この装置は高価なため通信コストが上昇し、また複雑な装置のため故障が起きる確率が2倍になって通信システムの信頼性が落ち、さらには局舎スペースを大きく占有する、などの問題があった。
【０００６】
【特許文献１】特開平１０−２０１４３号公報
【０００７】
【非特許文献１】OFC(Optical Fiber Communication Conference)'98 TUTORIAL SESSIONS、 1998年、p.177
【発明の開示】
【発明が解決しようとする課題】
【０００８】
発明が解決しようとする問題点は、通信ノード間を双方向伝送する場合に光分岐挿入多重化装置が複数台必要となり、通信コストが高くなる点である。
【課題を解決するための手段】
【０００９】
光分岐挿入多重化装置の入出力ポートに光サーキュレータあるいは光カプラを配置し、方向ごとに波長多重化された信号を束ねることを最も主要な特徴とする。
【発明の効果】
【００１０】
本発明の光分岐挿入装置は、光信号が伝送される各方向の波長多重信号ごとに分岐、挿入する機能を同一の装置で実現できるため、従来の構成と比べてコストをおよそ半分に削減できる。また、装置構成が単純なため信頼性が上がり、さらに装置の設置スペースを小さくできるという利点がある。
【発明を実施するための最良の形態】
【００１１】
隣接する通信ノードを複数の光ファイバを用いて接続した光伝送システムにおいて、各ノードでの信号光の分岐挿入多重化機能を実現するという目的を、最小の装置構成で実現した。
＜実施例１＞
図1は、本発明装置の一実施例の構成図である。通信ノード12は隣接ノードと光ファイバ1、5、6、11で接続されている。光ファイバ1と6を伝搬する光信号は伝搬する方向が互いに逆である。光ファイバ1と6を伝搬する光は光サーキュレータ7で合波され光分岐挿入多重化装置3の入出力ポート2に接続されている。同様に、光ファイバ5と11を伝搬する光信号の伝搬する方向は互いに逆である。光ファイバ5と11を伝搬する光は光サーキュレータ10で合波され光分岐挿入多重化装置3の入出力ポート4に接続されている。
【００１２】
通信ノード12では光分岐挿入多重化装置3において波長多重信号の中から通信ノード12宛ての特定波長iの光信号を分岐し、分岐挿入ポート8-i 又は9-i（i=1、2、・・・n）に出力する。尚、8-iのような表記-iは、波長iに対応している事を表現している。通信ノード12では光分岐挿入多重化装置3において別の通信ノードに送信する波長iの光信号を、分岐挿入ポート8-i又は9-i（i=1、2、・・・n）から上記波長多重信号に挿入する。図では分岐挿入ポートとして8-1、9-1、8-n、9-nのみを描いているが、実際は、他の波長に対応した分岐挿入ポートも同時に存在する。最大ポート数は波長多重数nと等しいのは言うまでも無い。尚、分岐挿入ポート8-iと9-iの違いについて述べておく。光分岐挿入多重化装置3の入出力ポート2から入射した波長多重信号の中から波長iの光信号を分岐した場合に出力される分岐挿入ポートが8-iである。一方、入出力ポート4から入射した波長多重信号のなかから波長iの光を分岐した場合に出力される分岐挿入ポートが9-iである。分岐挿入ポート8-iから波長iの光信号を挿入すると、その光信号は光分岐挿入多重化装置3で他の波長多重信号と合波され、入出力ポート2から出射される。分岐挿入ポート9-iから波長iの光信号を挿入すると、その光信号は光分岐挿入多重化装置3で他の波長多重信号と合波され、入出力ポート4から出射される。以上がポート8-iと9-iの定義である。
【００１３】
次に通信ノード間の接続について説明する。例えば、図4に示すように通信ノード12-1、12、12-2が接続されているとする。通信ノード12-1からの波長多重信号は光ファイバ1を伝搬して通信ノード12に入射する。この波長多重信号は図1の光サーキュレータ7を通過して、入出力ポート2から光分岐挿入多重化装置3に届く。この装置では、伝送されて来た波長多重信号の中から、通信ノード宛ての光信号、例えば波長１を分岐して、分岐挿入ポート8-1に出力する。
【００１４】
通信ノード12から図4の通信ノード12-1へ送信する光信号、例えば波長ｎをは、図1の分岐挿入ポート8-nから光分岐挿入多重化装置3 を介して上記波長多重信号に挿入され、入出力ポート2から光サーキュレータ7を通過して光ファイバ6に送信される。
【００１５】
光分岐挿入多重化装置3の内部の具体的構成としてはいくつか知られている。図5はその第一の例である。17-1、17-2は波長多重信号を異なる波長の光信号に分波する機能や逆に異なる波長の光信号を一つの光ファイバに合波する機能を持つ光合分波器である。
【００１６】
例えば入出力ポート2から入射した波長多重信号（波長はλ1、λ2、・・・λnとする）は、光合分波器17-1で波長の異なるn個の光信号に分波され、各波長の光信号は分岐挿入ポート8-1、・・・8-nから出力される。この図では波長λ1と波長λnに対応した光分岐挿入多重化装置挿入ポート8-1、8-n 、9-1、9-nしか描いていないが、実際は、波長多重信号のｎ個の波長λ1、λ2、・・・λnに対応した分岐挿入ポート8-iと9-i（i=1、２、・・・n）が存在する。
【００１７】
通信ノードをスルーする波長の光信号の場合、例えば波長λ1とすると、分岐挿入ポート8-1と9-1を短い光ファイバで接続することにより、光合分波器17-2で他の波長の信号と合波され、入出力ポート4より送信される。一方この通信ノードで受信する波長の信号の場合、例えばその波長をλnとすると、分岐挿入ポート8-nをノード内に設置された光受信機と接続することにより、受信できる。また、この通信ノードから他の通信ノードに送信する信号の場合、例えばその波長をλnとすると、分岐挿入ポート9-nとノード内に設置された光送信機を接続する。この光は光合分波器17-2で他の波長の光信号と合波され、入出力ポート4より送信される。
【００１８】
上記の例は入出力ポート2から入射した場合について記述したが、入出力ポート4から波長多重信号が入射した場合についても、全く同じである。つまり、この光分挿入多重化装置は光信号の進行方向に無関係に動作する。
【００２１】
図６に光分岐挿入多重化装置3の内部構成の第三の例を示す。この図で21-1と22-1は波長λ１の光信号を切り替える1入力2出力の光スイッチである。同様に21-nと22-nは波長λｎの光信号を切り替える光スイッチである。
【００２７】
以上の図５、６は光分岐挿入多重化装置3の具体的な構成例であるが、構成は以上の4例に限ったものではない。尚、図５の構成例は非特許文献１に記載されている。
【００２８】
さて、実施例1の光分岐挿入多重化装置を設置した通信ノード間で通信を行う場合の光送受信機の配置について以下に説明する。
【００２９】
例として図4の通信ノード12と通信ノード12-1が波長λiで通信する場合を説明する。他の波長（λ1、・・・λi-1、λi+1、・・・λn）は通信ノードを通過（スルー）すると仮定する。
【００３０】
図７に光送受信機を含めたノード構成を示す。26-iと26-i-1は波長iの光送信機、27-iと27-i-1は波長iの光受信機とする。これらの光送受信機は光サーキュレータ28-iと28-i-1を通して光分岐挿入多重化装置3及び3-1の分岐挿入ポート8-iと9-i-1に図に示すように接続する。
【００３１】
通信ノード12内の光送信機26-iからの波長iの光信号は、光サーキュレータ28-iを通過して光分岐挿入多重化装置3で他の波長の光と波長多重化され、光サーキュレータを通して伝送用光ファイバ6を伝搬し、通信ノード12-1に到達する。波長iの光信号は光分岐挿入多重化装置3-1で他の波長の光信号から分岐され分岐挿入ポート9-i-1から出射する。この波長iの信号は光サーキュレータ28-i-1を通過して光受信機27-i-1で受信する。
【００３２】
同様にして、通信ノード12-1内の光送信機26-i-1から出射する波長iの光信号は、光分岐挿入多重化装置3-1で他の波長多重信号と多重化され、伝送用光ファイバ1を伝搬し通信ノード12に到達する。波長iの光信号は光分岐挿入多重化装置3で他の波長の光信号から分岐され分岐挿入ポート8-iから出射する。この波長iの光信号は光サーキュレータ28-iを通過して光受信機27-iで受信する。以上により通信ノード12と12-1は波長iの光信号を用いて通信できる。
【００３３】
本実施例１による光サーキュレータを用いれば、光サーキュレータの挿入損失が０．５ｄＢ程度であり、光の伝送損失（ロス）が小さい、特に後述の実施例２との比較において、ロスが小さい特徴がある。また、光サーキュレータには、光の伝送方向性があるので、光アイソレータを併用する必要がなく、それに伴い部品点数を少なくできる利点がある。
＜実施例２＞
図3は本発明の第二の実施例を示す。第一の実施例と異なる点は、図1の光サーキュレータ7と10の代わりに光カプラ13と14を用いた点にある。通信ノード12は隣接ノードと光ファイバ1、5、6、11で接続されている。光ファイバ1と6を伝搬する光信号は伝搬する方向が互いに逆である。光ファイバ1と6を伝搬する光は光カプラ13で合波され光分岐挿入多重化装置3の入出力ポート2に接続されている。同様に、光ファイバ5と11を伝搬する光信号の伝搬する方向は互いに逆になっている。光ファイバ5と11を伝搬する光は光カプラ14で合波され光分岐挿入多重化装置3の入出力ポート4に接続されている。
【００３４】
光カプラを用いて互いに逆進する波長多重信号を合波するため、例えば入出力ポート2から出射して紙面の左の通信ノードに向かう波長多重信号は、光カプラ13から、伝送用光ファイバ1及び6の両方に伝搬しようとする。そこで光ファイバ1に光信号が逆方向に伝搬しないように光アイソレータ15を用いている。同様にポート4から紙面の右側の通信ノードに伝送する波長多重信号が光ファイバ11を逆方向に伝搬しないように光アイソレータ16が用いられている。
【００３５】
図３の光分岐挿入多重化装置3の具体的な構成は、第一の実施例で示した図５、６と同じ構成を用いることができる。
【００３６】
第二の実施例を用いて具体的に通信ノード間を波長iの光信号で通信する送受信機配置は、第一の実施例で説明した配置と同じ構成を用いることができる。つまりその構成は図７に示すとおりである。
【００３７】
本実施例２によれば、光カプラの挿入損失が３ｄＢ以上あるが、実施例１に用いる光サーキュレータに比べて、光カプラは部品コストは低くできる利点があり、光カプラと併用するアイソレータの部品コストを考慮しても、トータルで装置コストを半減できる利点がある。
【図面の簡単な説明】
【００３８】
【図１】実施例１に示す本発明の実施方法を説明した構成図である。
【図２】従来の実施方法を説明した構成図である。
【図３】実施例２に示す本発明の実施例を説明した構成図である。
【図４】通信ノード間の接続を示す図である。
【図５】光分岐挿入多重化装置の内部構成の一例を示す図である。
【図６】光分岐挿入多重化装置の内部構成の他の例を示す図である。
【図７】隣接ノード間の光伝送を実施する場合の通信ノード内の光送受信機の配置を示す図である。
【符号の説明】
【００３９】
1,1-1,5,5-1,6,6-1,11,11-1…通信ノード間を接続する伝送用光ファイバ、
2,4,2-A,4-A,2-B,4-B…光分岐挿入多重化装置の入出力ポート、
3,3-A,3-B…光分岐挿入多重化装置、
7,10,24-1,24-n,25-1,25-n,28-I,28-i-1…光サーキュレータ、
8-1,8-n,9-1,9-n,8-1-A,8-n-A,9-1-A,9-n-A,8-1-B,8-n-B,9-1-B,9-n-B,9-i-1…光分岐挿入多重化装置の分岐挿入ポート、
通信ノード…12,12-1,12-2……、
13,14…光カプラ、
15,16…光アイソレータ、
17-1,17-2…光合分波器、
20-1,20-n…2入力2出力光スイッチ、
21-1,21-n、22-1、22-n…1入力2出力光スイッチ、
23-1,23-n…ファイバブラッググレーティング、
26-I,26-i-1…光送信機、
27-I,27-i-1…光受信機。
【図１】
0004713837.tif 000002
【図２】
0004713837.tif 000003
【図３】
0004713837.tif 000004
【図４】
0004713837.tif 000005
【図５】
0004713837.tif 000006
【図６】
0004713837.tif 000007
【図７】
0004713837.tif 000008